(57)【要約】【課題】多数のＬＥＤを備えランプの代わりに用いられるに適した集魚灯の提供【解決手段】集魚灯１は、円板状底壁１２並びに該円板状底壁の外周面から前方及び後方に延びた円筒状周壁１１（１４，１５）を備えると共に円筒状周壁の外表面から半径方向外向きに延びた多数の放熱フィン２０を備えた金属製のケース本体１０と、ＬＥＤ４０が実装され且つケース本体の円板状底壁の前面に密接する金属製板状部３１を備えたＬＥＤ実装基板構造体３０と、発光ダイオードに対面するレンズ部５２を備え外周縁部がパッキン５５を介して前側円筒状周壁部１４の前端部に取付けられたレンズ板構造体５０と、交流／直流変換回路を含む電源回路構造体６０と、後端部に交流電源ソケットに装着される口金部７２を備え前面側の外周縁部がパッキン７９を介して後側円筒状周壁部１５の後端部に取付けられる口金構造体７０とを有する。【選択図】図４
2010170696.tif 000002
【特許請求の範囲】
【請求項１】
円板状底壁並びに該円板状底壁の外周から前方及び後方の両方向に延びた前側及び後側円筒状周壁部からなる円筒状周壁を有する金属製のケース本体であって、円筒状周壁を構成する前側及び後側円筒状周壁部の外表面から半径方向外向きに延びた多数の放熱フィンを備えたものと、
該ケース本体の円板状底壁の前面側に密接するように配置された基板及び該基板に実装された多数の発光ダイオード（ＬＥＤ）からなるＬＥＤ実装基板構造体であって、基板のうち円板状底壁の前面に密接する背面側部分が金属製の板状部からなるものと、
円板状底壁及び前側円筒状周壁部と協働してＬＥＤ実装基板構造体を収容する液密なＬＥＤ室を形成するレンズ板構造体であって、多数の発光ダイオードの夫々に対面する位置にレンズ部を備え、外周縁部がパッキンを介して前記前側円筒状周壁部の前端部に取付けられたものと、
前記ケース本体の円板状底壁の背面側に間隔をおいて取付けられた基板及び該基板に実装された電源回路構造体であって交流／直流変換回路を含むものと、
円板状底壁及び後側円筒状周壁部と協働して電源回路構造体を収容する液密な電源室を形成する口金構造体であって、後端部に交流電源ソケットに装着される口金部を備え、前面側の外周縁部がパッキンを介して前記後側円筒状周壁部の後端部に取付けられたものと
を有する集魚灯。
【請求項２】
ケース本体がアルミニウム製であり、レンズ板構造体がケース本体の前側円筒状周壁部の前端部に取外し可能に取付けられ、口金構造体が後側円筒状周壁部の後端部に取外し可能に取付けられている請求項１に記載の集魚灯。
【請求項３】
放熱フィンが渦巻状に湾曲している請求項１又は２に記載の集魚灯。
【請求項４】
サンマ漁に用いられる請求項１から３までのいずれか一つの項に記載の集魚灯。
【請求項５】
請求項１から４までのいずれか一つの項に記載の集魚灯を一列に備えた集魚用照明装置。
【発明の詳細な説明】
【技術分野】
【０００１】
本発明は、集魚灯に係り、より詳しくは、発光ダイオード（以下では、「ＬＥＤ」ともいう）を用いた集魚灯に係り、特に、サンマ漁に用いられるに適した集魚灯に係る。
【背景技術】
【０００２】
集魚灯としては、従来、メタルハライドやハロゲンランプの如き電球が用いられている。しかしながら、電球は全方向に発光する（ほとんど立体角４πに近い方向に向かって発光する）ことから、例えば、サンマ漁用の集魚灯においてサンマを集めるに十分な照度を確保しようとすると、消費電力が大きくなるのを避け難く、発電用の油の消費量が多くなるのを避け難い。
【０００３】
集魚灯として、ＬＥＤを用いること自体は提案されている（例えば特許文献１）。しかしながら、集魚灯としてみると、ＬＥＤは、過度に指向性が高いことから、ある程度広い範囲を明るく照らすことが求められる集魚灯としては、実際には適用され難かった。
【０００４】
一方、集魚灯のような用途を意図しない一般的なものでは、ＬＥＤを用いた照明としては、各種のものが提案され、明るさ、小型化及び放熱性を考慮した照明装置として、金属製ベース部に絶縁性ヒートシンクをアレイ状に配置し、ベース部の背面側の中央部に小径の円筒状の金属製支持体を取付け、該支持体の内部に交流・直流変換回路を設けると共に該小径円筒状金属製支持体の外周に放射状に放熱フィンを突設し、更に、小径円筒状金属製支持体の後端に絶縁部を介して口金を取付けてなるものが提案されている（特許文献２）。
【０００５】
しかしながら、この提案の照明装置では、冷却のためにＬＥＤアレイの背後に大きな伝熱路及び放熱フィンを設けていたので、交流・直流変換回路を小径の円筒状支持体内に収容することになり、交流・直流変換回路の部分の発熱が無視し難くなったり、該回路に組込み得る機能が限られる虞れがある。なお、この特許文献２では、更に、口金部分のところにファンを設け、該ファンをモータで回して、放熱フィンのところの放熱を助けることも提案されており、この構造では、ファンなしでは放熱フィンのところの空気の流れが不十分であることを示唆している。
【０００６】
なお、複数のＬＥＤを並べたＬＥＤ実装基板を備えるものではなく単一のＬＥＤからなるものであるけれども、当該単一ＬＥＤの放熱のために、小径円筒状金属製支持体の円筒状周壁から半径方向外向きに延びた多数の放熱フィンの夫々を渦巻状に湾曲させることにより各フィンの表面積を大きくしつつ全体の径の増大を抑えることは提案されている（特許文献３）。
【０００７】
いずれにしても、ＬＥＤは、耐熱温度が低いので、多数の照明用ＬＥＤを組込む場合、放熱による冷却は実際上不可欠である。放熱を確保するために、ＬＥＤアレイと放熱フィンとの間に隙間を設けること（特許文献４）や、基板の外縁部近傍のみに沿ってＬＥＤを円弧状に配置すること（特許文献５）も提案され、多数のＬＥＤを基板に実装する場合のＬＥＤの冷却には種々の試みが成されている。なお、ＬＥＤランプの放熱に関して、従来技術をまとめて評価したものもある（特許文献６の従来技術の説明の欄）。
【０００８】
但し、集魚灯関連に限ってみると、ＬＥＤランプの背後の室内においてファンで空気流を生じさせる提案（特許文献１）がある程度である。
【０００９】
なお、多数のＬＥＤを実装してなる基板の前面に設ける透光性のカバーに各レンズからの光を拡げるレンズ状の領域ないし拡散領域を設けること自体は、知られている（特許文献７）。
【００１０】
但し、この特許文献７は、透光性カバーの取付け構造については具体的開示を欠く。
【先行技術文献】
【特許文献】
【００１１】
【特許文献１】登録実用新案第３０９９７４１号公報
【特許文献２】特開２００５−９３０９７号公報
【特許文献３】登録実用新案第３１４２６６４号公報
【特許文献４】特表２００４−５２８６９８号公報
【特許文献５】特開２００６−４０７２７号公報
【特許文献６】特開２００８−２７９１０号公報
【特許文献７】登録実用新案第３１３３９２２号公報
【発明の概要】
【発明が解決しようとする課題】
【００１２】
本発明は前記諸点に鑑みなされたものであって、その目的とするところは、多数のＬＥＤを備え従来のランプの代わりに用いられるに適した集魚灯を提供することにある。
【課題を解決するための手段】
【００１３】
本発明の集魚灯は、前記目的を達成すべく、円板状底壁並びに該円板状底壁の外周から前方及び後方の両方向に延びた前側及び後側円筒状周壁部からなる円筒状周壁を有する金属製のケース本体であって、円筒状周壁を構成する前側及び後側円筒状周壁部の外表面から半径方向外向きに延びた多数の放熱フィンを備えたものと、該ケース本体の円板状底壁の前面側に密接するように配置された基板及び該基板に実装された多数の発光ダイオード（ＬＥＤ）からなるＬＥＤ実装基板構造体であって、基板のうち円板状底壁の前面に密接する背面側部分が金属製の板状部からなるものと、円板状底壁及び前側円筒状周壁部と協働してＬＥＤ実装基板構造体を収容する液密なＬＥＤ室を形成するレンズ板構造体であって、多数の発光ダイオードの夫々に対面する位置にレンズ部を備え、外周縁部がパッキンを介して前記前側円筒状周壁部の前端部に取付けられたものと、前記ケース本体の円板状底壁の背面側に間隔をおいて取付けられた基板及び該基板に実装された電源回路構造体であって交流／直流変換回路を含むものと、円板状底壁及び後側円筒状周壁部と協働して電源回路構造体を収容する液密な電源室を形成する口金構造体であって、後端部に交流電源ソケットに装着される口金部を備え、前面側の外周縁部がパッキンを介して前記後側円筒状周壁部の後端部に取付けられたものとを有する。
【００１４】
本発明の集魚灯では、「円板状底壁並びに該円板状底壁の外周面から前方及び後方の両方向に延びた前側及び後側円筒状周壁部からなる円筒状周壁を有する金属製のケース本体が、円筒状周壁の外表面から半径方向外向きに延びた多数の放熱フィンを備える」ので、多数の放熱フィンが「円板状底壁の外周面から前方に延びた前側円筒状周壁部及び後方に延びた後側円筒状周壁部」の両方にあるから、ケース本体の放熱が促進され易い。また、放熱フィンを、前側及び後側円筒状周壁部の外周に形成するようにしたことにより、前側及び後側円筒状周壁部の外周面形状及び関連放熱フィンを同一形状にすることが可能になり、全体として、冷却用空気が流れ易くなる。特に、集魚用照明装置において多数の集魚灯が一列に並べられその周囲がハウジングの壁部で囲われる場合であっても、集魚灯のうちハウジングの壁部の前面開口端近傍に位置する前側周壁部の前端にある放熱フィンの部分が船の揺れその他に伴う空気流（風）を受け易く該部分が風を受けると、該空気流が隣接する放熱フィンの間隙を通って集魚灯の後端に流れ得るから、各集魚灯の冷却が効果的に行われ易い。
【００１５】
特に、本発明は集魚灯であって、漁を行う船に取付けられるものであるから、陸上で静置される単なる照明とは異なり、船の揺れ等に伴い金属製のケース本体の表面すなわち放熱フィンの表面には常時空気流が生じるので、放熱フィンによる冷却作用が陸上の静置照明と違って確実に有効に働き得る。本発明の集魚灯では、前側円筒状周壁部がＬＥＤ実装基板構造体を収容するＬＥＤ実装基板収容室を形成するものであってＬＥＤ実装基板よりも大径になるので、放熱フィンは、比較的大径の円筒状周壁の外表面から半径方向外向きに延びるから、この空気流が径の細い狭い領域を流れる必要がない故、ケース本体が放熱フィンを介して確実に冷却され得る。
【００１６】
なお、本発明の集魚灯では、円板状底壁の前面に密接状態でＬＥＤ実装基板構造体が取付けられるので、円板状底壁にはＬＥＤ実装基板構造体からの熱が流れ込むことになるから、該円板状底壁からその外周につながった円筒状周壁に確実に放熱させ得るように熱流に対する抵抗を最低限に抑えるべく、円板状底壁は、十分な厚さ（例えば、高々数ｍｍ〜１ｃｍ程度で足りるから、全体のサイズに影響を与える虞れはない）で形成されることになる。これにより、ＬＥＤ実装基板構造体の中央部における発熱もその背後にヒートシンク（熱の放出孔）があるかの如く、放熱し得る。すなわち、本発明の集魚灯において、ケース本体の円板状底壁は、それ自体が最終的なヒートシンクになるわけではなく、ヒートシンクになる放熱フィンにつながった円筒状周壁への熱抵抗の低い伝熱路を提供することになる。ここで、当然ながら、ＬＥＤ実装基板構造体において、基板の背面側部分が金属製の板状部からなりケース本体の円板状底壁に密接することにより放熱を可能にしている。
【００１７】
また、本発明の集魚灯では、「前記ケース本体の円板状底壁の背面側に間隔をおいて取付けられた基板及び該基板に実装され交流／直流変換回路を含む電源回路構造体」が円板状底壁と後側円筒状周壁部と口金構造体とによって形成された電源室内に配置されるところ、本発明の集魚灯では、金属製のケース本体が、「該円板状底壁の外周から前方及び後方の両方向に延びた前側及び後側円筒状周壁部からなる円筒状周壁」を有するので、後方円筒状周壁部が前側円筒状周壁部と同様に大径に形成され得るから、円板状底壁及び後側円筒状周壁部により規定される電源室を十分に大きく形成し得る。その結果、電源回路に最大限の機能を持たせても、該電源回路の過熱を抑えることが可能になるだけでなく電源収容室内において電源回路を円板状底壁から離して配置することが可能になり（典型的にはスペーサを介して配置される）、ＬＥＤと電源回路との熱的な干渉を最低限に抑え得る。その結果、集魚灯の発熱を最低限に抑えて効果的な放熱を実現し得、長期間安定な照明として働かせ得る。
【００１８】
更に、本発明の集魚灯では、「円板状底壁及び前側円筒状周壁部と協働してＬＥＤ実装基板構造体を収容する液密なＬＥＤ室を形成するレンズ板構造体であって、多数の発光ダイオードの夫々に対面する位置にレンズ部を備え、外周縁部がパッキンを介して前側円筒状周壁部の前端部に取付けられたもの」が設けられるので、レンズ板構造体として所望の程度の拡散性のあるレンズ部を備えたものを選択すれば、光源自体はＬＥＤであっても適度の拡散性のある集魚用照明が実現され得る。その結果、実際上全方向に光を発するランプないし電球と異なり拡げられる（拡散される）とはいえ限られた範囲ないし方向に向かって光を発し照明としての効率の高いＬＥＤの特性を最大限生かし得る。また、「レンズ板構造体の外周縁部が前側円筒状周壁部の前端部に取付けられる」ので、前側円筒状周壁部自体がＬＥＤ室からの放熱に多少なりとも寄与し得る。
【００１９】
加えて、本発明の集魚灯では、口金部が設けられているので、従来のランプ式の集魚灯の代わりに、そのまま、当該ランプ式集魚灯用のソケットに、口金部で装着され得る。即ち、従来のランプ式の集魚灯の代わりに本発明の集魚灯を用いるだけで、従来のランプ式の集魚灯用に既にある設備をそのまま使用し得る。ここで、本発明の集魚灯では、電源回路のために十分に広いスペースが確保されているから、電源電圧の変動が大きかったり、各種要因により差異のある発電機に起因して電源電圧自体が大きく異なっていたりしても、当該差異や変動を吸収し得る電源回路が組込まれ得、従来のランプ式集魚灯に代替し得る。
【００２０】
更に、本発明の集魚灯では、レンズ板構造体及び口金構造体が、パッキンを介して取外し可能にケース本体に取付けられ得るから、例えば、塩水や潮風に曝される環境下でケース本体が比較的短期間（例えば、３〜４年程度又はそれ以下の期間）で化学的又は電気化学的な腐食その他により劣化しても、相対的に高価であっても寿命の長いＬＥＤ実装基板構造体等を残す（繰り返し使用する）一方で、ケース本体を含めて寿命の短い部品を交換することにより、資源の長期間の使用が可能になる。従って、ＬＥＤによる低エネルギ消費に加えて、一層の省資源化が図られ得る。
【００２１】
すなわち、本発明の集魚灯では、典型的には、ケース本体がアルミニウム製であり、レンズ板構造体がケース本体の前側円筒状周壁部の前端部に取外し可能に取付けられ、口金構造体が後側円筒状周壁部の後端部に取外し可能に取付けられている。
【００２２】
この場合、上述の省資源化が確実に実現され得る。すなわち、この場合、ケース本体を最大限大きくしてもコストや重量は低く抑えられ得、相対的に小さな光電部品（ＬＥＤ実装基板構造体等）や電気部品（電源回路構造体）を残して相対的に大きな部品（ケース本体やレンズ板構造体等）を取り替える。特に、許容される範囲内でケース本体を最大限大型化することにより、冷却や交換を容易且つ確実にしている。わざわざケース本体を大きくしておいて、そのケース本体を比較的短期間で破棄ないし交換することにより、他の部品を最大限高機能化すると共に長期利用しようとするもので、ここには、一種の発想の転換がある。
【００２３】
本発明の集魚灯では、典型的には、放熱フィンが渦巻状に湾曲している。
【００２４】
この場合、占有スペースが狭い割には、放熱フィンを介した放熱による冷却が確実に行われ得る。また、放熱フィンがその放熱効果が高い割には占有スペースの少ないことから、ケース本体の円筒状周壁の径を最大限に大きくし得、上述のメリットを最大限に生かし得る。
【００２５】
本発明の集魚灯は、典型的には、サンマ漁に用いられる。
【００２６】
サンマ漁では、集魚灯は、船の左舷及び右舷から海上に突出した竿の先端部に多数個取付けられることになるので、その冷却が確実に行われ易い。反面、集魚灯がサンマ漁に用いられると、海水や潮風によってケース本体などの表面が塩害を受けるのを避け難いけれども、本発明の集魚灯では、上述の如く、レンズ板構造体や口金構造体がケース本体に対して取外し可能であるので、劣化部品を交換するだけで、残りの部品は再利用され得るから、ＬＥＤ光源の利用によるエネルギ消費の低減と相俟って、省資源化が確実に図られ得る。
【００２７】
本発明の集魚用照明装置は、上述のような集魚灯を一列に備える。但し、多数列あってもよく、その場合、各列を構成する集魚灯は、まっすぐ並んでいなくてもよい。
【図面の簡単な説明】
【００２８】
【図１】本発明の好ましい一実施例の集魚灯の正面説明図。
【図２】図１の集魚灯を矢印ＩＩ方向に見た側面説明図。
【図３】図２の集魚灯を矢印ＩＩＩ方向に見た背面説明図。
【図４】図１の集魚灯を分解して示した一部断面説明図。
【図５】図１の集魚灯の灯体を示したもので、（ａ）は（ｂ）において矢印ＶＡ方向に見た側面説明図、（ｂ）は（ａ）において矢印ＶＢ方向に見た正面説明図。
【図６】図１の集魚灯のＬＥＤ実装基板構造体を示したもので、（ａ）は（ｂ）において矢印ＶＩＡ方向に見た正面説明図、（ｂ）は（ａ）において矢印ＶＩＢ方向に見た側面説明図、（ｃ）は一つのＬＥＤ素子が基板に実装された状態を拡大して示した断面説明図。
【図７】図１の集魚灯のレンズ板を示したもので、（ａ）は（ｂ）において矢印ＶＩＩＡ方向に見た平面説明図、（ｂ）は（ａ）のＶＩＩＢ−ＶＩＩＢ線断面説明図。
【図８】図１の集魚灯の口金構造体の一部破断側面説明図。
【図９】図１の集魚灯を多数個備えた集魚灯照明装置が取付けられた竿を多数個備えたサンマ漁用の船を示したもので、（ａ）は右斜め前から見た斜視説明図、（ｂ）は上から見た平面説明図。
【図１０】図９のサンマ漁用の船において、多数個のソケットを備えた一つの集魚灯照明装置を示したもので、（ａ）は（ｂ）のＸＡ−ＸＡ線断面説明図、（ｂ）は（ａ）において矢印ＸＢ方向に見た正面説明図、（ｃ）は（ａ）のＸＣ−ＸＣ線断面説明図。
【発明を実施するための形態】
【００２９】
本発明の好ましい一実施の形態を添付図面に示した好ましい実施例に基づいて説明する。
【実施例】
【００３０】
本発明の好ましい一実施例の集魚灯１は、図１から図３の正面説明図、側面説明図及び背面説明図に示したような外観を有し、その大まかな構造は、図４の分解断面説明図に示した通りである。
【００３１】
集魚灯１は、アルミニウム製のケース本体ないし灯体１０と、ＬＥＤ実装基板構造体３０と、レンズ板構造体５０と、電源回路構造体６０と、口金構造体７０とを有する。
【００３２】
アルミニウムの一体物からなる灯体１０は、図４並びに図５の（ａ）及び（ｂ）からわかるように、円筒状周壁１１と、円板状底壁１２と、多数の放熱フィン２０とを有する。円筒状周壁１１は、円板状底壁１２の外周１３から前方に延びた前側円筒状周壁部１４と、該円板状底壁１２の外周１３から後方に延びた後側円筒状周壁部１５とからなる。この例では、前側円筒状周壁部１４と後側円筒状周壁部１５とは同じ厚さないし径であるけれども、場合によっては、一方が他方より厚くてもよく、その場合、典型的には、外径は同じで、内径が異なる。円筒状周壁１１の中心軸線Ｃの延在方向にみて、後側円筒状周壁部１５は、前側円筒状周壁部１４よりも長く、電源室としての電源収容室１７は、ＬＥＤ室としてのＬＥＤ実装基板収容室１６よりも大きい。ここで、電源収容室１７は、後側円筒状周壁部１５と円板状底壁１２とによって形成され、ＬＥＤ実装基板収容室１６は、前側円筒状周壁部１４と円板状底壁１２とによって形成される。
【００３３】
灯体１０は、更に、ＬＥＤ実装基板構造体３０のＬＥＤ素子４０の冷却を可能にすべく、円筒状周壁１１の外周に多数の放熱フィン２０を一体的に有する。放熱フィン２０は、例えば、図５の（ｂ）からわかるように、渦巻状に湾曲していて、灯体１０全体の外径が抑制される一方で、その表面積の最大化が図られている。中心軸線Ｃに垂直な断面でみた放熱フィン２０の形状は、断面を採る位置によらず実質的に一定である。なお、レンズ板構造体５０及び口金構造体７０を連結するためのネジ穴１８ａ，１８ｂを備えるように、円筒状周壁１１は、周方向に間隔を置いて半円状の厚肉部１８を有する。厚肉部１８のある部位では、放熱フィン２０は短い。放熱フィン２０の外端は、一定の仮想円筒面に沿って位置する。
【００３４】
灯体１０は、その前端１０ａに、レンズ板構造体５０を装着するための円形凹部１０ｂを備える。円形凹部１０ｂの外径は、この例では、半円状厚肉部１８の外径と実際上一致している。したがって、放熱フィン２０の前端部２１は、全体として円形凹部１０ｂを形成するように、内周側領域に凹部２２を有する。半円状厚肉部１８の前端面１８ｃは、放熱フィン２０の凹部２２の底面２２ａと面一をなす。
【００３５】
なお、所望ならば、灯体１０の前端１０ａに円形凹部１０ｂがなくても、灯体１０の前端面の全体が、例えば、一平面をなしていてもよい。但し、少しでも放熱し易いように、且つ（図１０等に関連して後述するように、ハウジング８１内に集魚灯１があっても）周方向に隣接する放熱フィン２０，２０の間にその前端側から空気流（風）が出入りし易いように、放熱フィン２０が、前側において極力前方まで延びている。
【００３６】
この灯体１０では、円筒状周壁１１と比較して円板状底壁１２が厚く、該円板状底壁１２から円筒状周壁１１への熱の伝導に対する抵抗を最低限に抑えている。また、この灯体１０では、円筒状周壁１１の厚さを比較的薄くして、該円筒状周壁１１に達した熱が速やかに放熱フィン２０に伝わり、該放熱フィン２０の外表面からの速やかな放熱を促すようにしている。なお、円筒状周壁１１は、円板状底壁１２から該円板状底壁１２の外周部につながった円筒状周壁１１に達した熱が、放熱フィン２０のうち、円板状底壁１２の外周部から遠く離れた前端部の放熱フィン部分２４や後端部の放熱フィン部分２５に伝導し得るに十分な厚さを有する。但し、円板状底壁１２の外周部又はこれにつながった円筒状周壁１１に達した熱が、円板状底壁１２の外周部から遠く離れた前端部の放熱フィン部分２４や後端部の放熱フィン部分２５の先端部分（径方向外周部分）２４ａ，２５ａでも放熱し得る限り、熱が一旦円筒状周壁１１の前端や後端に達した後、半径方向外向きに放熱フィン２０に沿って径方向外向きに流れる必要はなく、円板状底壁１２の外周部から前端部の放熱フィン部分２４や後端部の放熱フィン部分２５の先端部分（径方向外周部分）２４ａ，２５ａへの伝熱路が、放熱フィン２０を斜めに横切っていてもよい。従って、放熱フィン２０の外表面からの十分な放熱、換言すれば、放熱フィン２０の外表面の十分な冷却が確保される環境では、放熱フィン２０と円筒状周壁１１との全体が一つの厚い仮想円筒状周壁Ａをなし、該仮想円筒状周壁Ａがその内部自体にヒートシンク（熱の放出孔）を備える（放熱フィン２０の表面からの放熱を想定）とみなし得る。なお、半円状厚肉部１８は、円筒状周壁１２における熱伝導による伝熱路を与えている。
【００３７】
ＬＥＤ実装基板構造体３０は、図４に加えて特に図６の（ａ）〜（ｃ）からわかるように、プリント配線基板３１と該基板３１に実装された多数（図示した例では２４個）のパワーＬＥＤ素子４０とを有する。ＬＥＤ実装基板構造体３０は、複数のねじ挿通孔３１ｃを備え、該ねじ挿通孔３１ｃに挿通され灯体１０の底壁１２のねじ穴１２ｄに螺着される止めネジ（図示せず）によって、灯体１０のＬＥＤ基板収容室１６内において灯体１０の底壁１２に固定されている。
【００３８】
この例では、２４個のＬＥＤ素子４０は、中心Ｃのまわりの半径Ｒ１の大径円に沿って等間隔に配置された１２個のＬＥＤ素子４０ａと、中心Ｃのまわりの半径Ｒ２の中径円に沿って等間隔に且つ最外周の最近接ＬＥＤ素子４０ａ，４０ａに対して等距離に配置された６個のＬＥＤ素子４０ｂと、中心Ｃのまわりの半径Ｒ３の小径円に沿って等間隔に且つ中径円に沿った最近接ＬＥＤ素子４０ｂ，４０ｂに対して等距離に配置された６個のＬＥＤ素子４０ｃとからなり、全体として、ほぼ一様に配置されている。但し、各ＬＥＤ素子４０の冷却が確保される限り、基板３１に実装されるＬＥＤ素子４０の数や配置は異なっていてもよい。
【００３９】
基板３１は、表面３２ａに配線パターン３３が形成された電気絶縁性の薄い基板本体３２と、該基板本体３２の裏面３２ｂが接着されたアルミニウムの如き熱伝導性の高い材料からなる板状支持体３４とを有する。基板３１の外径は、円筒状周壁１１のうち前側周壁部１４の内径よりも僅かに小さく、ＬＥＤ実装基板収容室１６内において、伝熱性層３７（図４）を介して円板状底壁１２に密接せしめられる。
【００４０】
多数のＬＥＤ素子４０は、典型的には、全てが同一のもの（例えば、青色や赤色や緑色や白色のいずれか）からなる。口金構造体７０でソケットに取付けられる各集魚灯１は、順方向降下電圧が３．５Ｖ程度の青色ＬＥＤ素子４０を多数個備えた青色集魚灯１からなっていても、順方向降下電圧が１．５〜２Ｖ程度の赤色ＬＥＤ素子４０を多数個備えた赤色集魚灯１からなっていても、順方向降下電圧が２Ｖ強程度の緑色ＬＥＤ素子４０を多数個備えた緑色集魚灯１からなっていても、順方向降下電圧が３Ｖ程度の白色ＬＥＤ素子４０を多数個備えた白色集魚灯１からなっていてもよい。また、後述の集魚用照明装置８０のハウジング８１に取付けられる多数の集魚灯１が照明装置８０毎に同一の色のＬＥＤ素子４０を備えた同一色の集魚灯１からなっていても、一つの照明装置８０が異なる色の集魚灯１を備えていてもよい。所望ならば、一つの集魚灯１を構成する多数のＬＥＤ素子４０のうちの一部が他の一部とは異なる色光を発するものであってもよい。
【００４１】
多数のＬＥＤ素子４０は、典型的には、全てが直列に接続される。この場合、交流電源からの電圧等が変動しても直列接続されたＬＥＤ素子４０群を流れる（整流後の）直流電流が実際上一定になるように（又は一定の範囲内になるように）、実質的に定電流制御が行われる。また、直列接続されたＬＥＤ素子４０の全体にかかる電圧が所定範囲内になるような電圧制御も行われる。
【００４２】
但し、各ＬＥＤ素子４０に流れる電流が所定の大きさ又は範囲に保たれるように且つ各ＬＥＤ素子４０に過大な電圧がかかるのを避けるように制御される限り、多数のＬＥＤ素子４０の全てが直列接続される代わりに、例えば、隣接する同一色のＬＥＤ素子４０，４０が二個づつ並列に接続され、該二個づつのＬＥＤ素子４０，４０が直列に接続されても、多数のＬＥＤ素子４０が複数組に分割されて各組のＬＥＤ素子４０が直列に接続されてもよく、場合によっては、各ＬＥＤ素子４０が、並列に接続されてもよい。これらの場合に、空間的に異なる配置を有するＬＥＤ素子４０ａ，４０ｂ，４０ｃの存在を考慮しての一組の複数のＬＥＤ素子４０を選択するようにしてもよい。
【００４３】
図６の（ａ）に模式的に示したように、配線パターン３３は、プラス側の絶縁被覆付リード線３５が接続されたプラス側電源接続用の配線パターン３３ａ及びマイナス側の絶縁被覆付リード線３６が接続されたマイナス側電源接続用の配線パターン３３ｂに加えて、各ＬＥＤ素子４０のプラス側端子４２とマイナス側端子４３とを直列に接続する多数の配線パターン部ないしランド部３３ｃを含む。各ＬＥＤ素子４０は、素子本体４１のプラス及びマイナス極につながったプラス側及びマイナス側の端子部４２，４３で配線パターン３３ｃに半田付けされ該配線パターン３３ｃを介して隣接するＬＥＤ素子４０につながり、直列接続された両端では、配線パターン３３ａ，３３ｂに半田付けされ該配線パターン３３ａ，３３ｂを介してプラス側又はマイナス側の絶縁被覆付リード線３５，３６につながっている。絶縁被覆付リード線３５，３６は、その先端の露出導体部３５ａ，３６ａで配線パターン３３ａ，３３ｂに半田付けされ、該絶縁被覆付リード線３５，３６は、基板３１の貫通孔３１ａ，３１ｂを介して基板３１の背面すなわち板状支持体３４の背面３４ｂ側に導出されている。なお、このリード線３５，３６は、更に、灯体１０の底壁１２の貫通孔１２ａ，１２ｂ（図５の（ｂ）参照）を介してＬＥＤ基板収容室１６から電源回路収容室１７に延び、電源回路構造体６０につながって、電源回路構造体６０からＬＥＤ実装基板構造体３０への給電を可能にしている。
【００４４】
基板３１の基板本体３２の表面３２ａの配線パターン３３すなわち電源接続用配線パターン３３ａ，３３ｂ及び多数のＬＥＤ間配線パターン３３ｃは、相互の絶縁が保たれ得る限り、全体として表面３２ａを覆うように広幅に広がっていて、ＬＥＤ素子４０の本体４１からの熱を最大限伝導（放熱）し得る。なお、相対的には、基板３１の外周縁部よりも基板３１の中央部においてＬＥＤ素子４０の実効的な実装密度が高いことになるけれども、基板本体３２が薄く、各ＬＥＤ素子４０の熱は、薄板状基板本体３２を介してその下にある熱伝導性板状支持体３４に伝えられ、該支持体３４から灯体１０の円板状底壁１２に伝達される。また、基板３１の熱伝導性板状支持体３４の背面３４ｂと灯体１０の板状底壁１２の表面１２ｃとの間には、熱伝導性グリースないし熱伝導性液状接着剤の如き高伝熱性材料が塗布されてなる伝熱性層３７（図４）が形成される。
【００４５】
各ＬＥＤ素子４０のプラス側及びマイナス側の端子部４２，４３並びに配線パターン３３は、全体として、電気絶縁性の被膜３８で覆われている。なお、各ＬＥＤ素子４０の本体４１は全体としてドーム状の透明樹脂被覆４４で封止されている。
【００４６】
レンズ板構造体５０は、板状部５１と、多数のレンズ形成部５２とからなる。板状部５１は、灯体１０の前側円筒状周壁部１４及び８個の半円状厚肉部１８の端面１４ｃ及び１８ｃに丁度嵌り合う円板状部分５１ａと８個の半円状突出部５１ｂとを有する。各半円状突出部５１ｂには、ネジの挿通孔５１ｃが形成されている。板状部５１の前面５１ｄは、図７の（ｂ）からわかるように、平面状であり、裏面ないし内面５１ｅには、多数のレンズ形成部５２が連続的に突出せしめられている。なお、板状部５１の裏面５１ｅのうちレンズ形成部５２が突出していない裏面部分５１ｆは、粗面化されている。
【００４７】
レンズ形成部５２は、ＬＥＤ実装基板構造体３０の基板３１に実装されたＬＥＤ素子４０の分布に丁度対応するように、分布しており、各レンズ形成部５２が、丁度、対応するＬＥＤ素子４０に被せられる。
【００４８】
レンズ形成部５２は、図７の（ｂ）において丁度中心を通る断面が取られているレンズ形成部５３からわかるように、ＬＥＤ素子４０のドーム状樹脂被覆部４４に丁度被せられる凹部５３ａを備えると共にＬＥＤ素子４０に被せられた状態で、ＬＥＤ素子４０からの指向性の高い光を所望に応じて拡げる働きをする。レンズ形成部５２は、拡散レンズとして働いても、導光体として働いて全体としてＬＥＤ素子４０からの光を所望の角度だけ拡げるレンズとして働くようになっていてもよい。この例では、レンズ形成部５３の該表面５３ｂは、拡がり角を与えるように拡がり、湾曲しており、且つ凹レンズ状である。
【００４９】
この例では、レンズ板構造体５０の板状部５１のうちレンズ形成部５２に直接つながっている部分５４ａは透明であるけれども、板状部５１のうちレンズ形成部５２に直接つながっていない部分５４ｂは光拡散性の粗面５１ｆを備えることから、概ね半透明である。但し、レンズ板構造体５０の板状部５１は、その全体が透明であってもよい。また、この例では、板状部５１の前面は平面であるけれども、所望ならば、前面にレンズを形成する凹凸の一部があってもよい。
【００５０】
なお、レンズ板構造体５０は、防水パッキン５５（図４）を介して、灯体１０に取付けられる。パッキン５５は、レンズ板構造体５０の板状部５１と実際上同様な形状を有し、灯体１０の端面１４ｃ，１８ｃとレンズ板構造体５０の板状部５１とに挟まれ、ステンレス鋼製の止めネジ５７（図１及び図２参照）が挿通され、灯体１０のネジ孔１８ａに螺着されると、ＬＥＤ実装基板構造体３０をＬＥＤ実装基板収容室１６内に液密に封じ込める。なお、ステンレス鋼製の止めネジ５７自体は、耐水性が高いけれども、ステンレス鋼製の止めネジ５７がアルミニウム製の灯体１０に接触していたり水の存在下で隣接していると、灯体１０に多少なりとも電食が進行するのは避け難い。
【００５１】
電源回路構造体６０は、図４に示したように、電源回路基板６１に、電源回路６２を実装してなる。電源回路６２は、交流／直流変換回路や定電流／定電圧コントローラを含み、使用環境の差異等に起因する交流電圧の変動（例えば、１００Ｖ程度〜２００Ｖ程度の範囲内での変動）にかかわらず、ＬＥＤ素子４０を所定の条件下（典型的には、ＬＥＤ素子４０に適した所定の一定電流で且つ所定の範囲内の電圧）で動作させるような制御機能を備える。
【００５２】
灯体１０の電源収容室１７の底壁１２には、スペーサとして働く高座ナット６３が螺着されている。電源回路構造体６０の電源回路基板６１にはねじ挿通孔６４が形成され、電源回路基板６１は止めネジ（図示せず）によって高座ナット６３に螺着されている。従って、電源回路基板６１は、灯体１０の底壁１２から離れていて、該底壁１２からの伝熱が最低限に抑えられ得る。スペーサ６３は、熱伝導性の低い樹脂その他からなっていても、熱伝導性の高い材料（例えば、金属か）らなっていてもよい。後者の場合、電源回路６２で発生した熱が、スペーサ６３を介して放熱され得る。
【００５３】
口金構造体７０は、電気絶縁性の口金支持体７１と導電性端子の形態の口金端子形成部７５，７６を備えた口金７２とを有する。口金支持体７１は、円筒状部７３と鍔状部ないしフランジ状部７４とからなる。円筒状部７３は、環状のフランジ状部７４の内周縁に一端で連続的につながった大径円筒状部分７３ａと、大径円筒状部７３ａの他端に外周縁で連続的につながった小さい環状フランジ状部分７３ｂの内周縁に一端で連続的につながった小径円筒状部分７３ｃとを有する。口金７２は、ネジ様螺旋状部７５ｃが形成され口金支持体７１の小径円筒状部分７３ｃに被せられた一方の口金端子形成部７５と、後端部において電気絶縁性樹脂部７２ａを介して小径円筒状部分７３ｃを塞ぎ且つ該円筒状部分７３ｃの中心部に配置されたもう一方の口金端子形成部７６とを有する。口金７２の口金端子形成部７５，７６は、集魚灯電球用として従来から使用されている交流電源ソケット（図１０参照）に取外し可能に装着されるように構成されている。口金端子形成部７５，７６にはリード線７５ａ，７６ａが接続され、該リード線７５ａ，７６ａの先端には、電源回路６２への給電用の接続端子７５ｂ，７６ｂが形成されている。
【００５４】
口金支持体７１のフランジ状部７４は、灯体１０に対面する表面に、環状凹部７７を有する。この環状凹部７７は、パッキン７９（図４）と概ね相補的形状を有する。口金支持体７１のフランジ状部７４のうち環状凹部７７のあるところには、ステンレス鋼製の止めネジ７８用の挿通孔７８ａが形成されている。止めネジ７８は、防水パッキン７９を介して口金構造体７０を灯体１０に対して取外し可能に液密に固定する。パッキン７９は、厚さ方向に僅かに突出する状態で凹部７７内に配設されて、口金構造体７０の口金支持体７１のフランジ状部７４と灯体１０の後側円筒状周壁部１５の後端面１０ｃとの間を液密に保ち、灯体１０の底壁１２及び後側円筒状周壁部１５並びに口金構造体７０によって液密な電源収容室１７（図４）を形成する。この例では、パッキン７９は、パッキン５５と実質的に同一の平面形状を有し、厚さはパッキン５５よりも薄い。但し、シールを確実に行い得、口金構造体７０が灯体１０に対して着脱可能である限り、平面形状も異なっていてもよい。
【００５５】
次に、以上の如く構成された集魚灯１をサンマ漁に用いる場合について、図１〜図８に加えて図９及び図１０を参照しつつ説明する。
【００５６】
集魚灯１を用いてサンマ漁を行うサンマ漁用漁船２では、図９に示したように、船体３の右側縁ないし右舷３ｃ及び左側縁ないし左舷３ｄの両側から多数の支持棒ないし竿状体４を突出させる。各竿状体４は、基端部４ａにおいて船体３に取付けられ、該基端部４ａから船体３の左右側縁３ｄ，３ｃを越えて海上に大きく突出し、先端部４ｂを含む大半の部分４ｆは海面上に出ている。
【００５７】
図１０の（ａ）〜（ｃ）に示したように、各竿状体４には、集魚用照明装置８０が該竿状体４の長手方向Ｂに沿ってＢ１，Ｂ２方向の所望の位置に取付けられている。集魚用照明装置２の海上への突出位置は、竿状体４の船体３に対するＤ１，Ｄ２方向の傾斜状態ないし回動位置を調整することにより、調整ないし制御され得る。なお、Ｂ１，Ｂ２方向に位置調整可能であってもよい。
【００５８】
集魚用照明装置８０は、前方が開口した細長い箱ないしハウジング８１と、該ハウジング８１に多数個取付けられたソケット８２とを有する。
【００５９】
ハウジング８１は、頂壁８１ａ、両側壁８１ｂ，８１ｃ、及び両端壁８１ｄ，８１ｅを有する。側壁８１ｂ，８１ｃ及び端壁８１ｄ，８１ｅは、頂壁８１ａから遠いところほど開くように、頂壁８１ａに対して傾斜している。従って、ハウジング８１には、比較的大きな開口８１ｆがある。ここで、側壁８１ｂ，８１ｃ及び端壁８１ｄ，８１ｅは、頂壁８１ａと協働して、傘を構成し、側壁８１ｂ，８１ｃ及び端壁８１ｄ，８１ｅは、実際上、傘本体（傘の本体）をなす。ソケット８２は、頂壁８１ａに一列に取付けられており、船体３から竿状体４に沿って延びた給電線８３を介して給電されている。
【００６０】
なお、従来の電球（ランプ）の場合、実際上全方向に光がでることから、その照明方向を限ることも考慮して、ハウジング８１が比較的深く反射性の高い（例えば白塗りの）壁部８１ｂ，８１ｃ，８１ｄ，８１ｅを有するけれども、この集魚灯１では、該集魚灯１から出る光の方向は、断面で見て数１０度程度、立体角で見ると全立体角４πの１／１０程度またはそれ以下に限られるから、ソケット８２が防水性のカバーを備えていて集魚灯１の口金７２とソケット８２との接続部に水濡れによる短絡の虞れがない場合には、壁部８１ｂ，８１ｃ，８１ｄ，８１ｅすなわち傘本体は実際上なくても又はより浅くてもよく、場合によっては、該壁部８１ｂ，８１ｃ，８１ｄ，８１ｅを空気が通り抜け得るように開口やスリットが形成されていてもよい。従って、ここでは、傘本体をなす壁部８１ｂ，８１ｃ，８１ｄ，８１ｅを想像線で示してある。傘本体がない場合又は傘本体を形成する壁部８１ｂ，８１ｃ，８１ｄ，８１ｅが短くて集魚灯１のフィン２０のある部分が実際上露出していたり、スリットがある場合、集魚灯１の冷却がより効果的に行われ得る。
【００６１】
各ソケット８２には、集魚灯１が一つづつ装着される。なお、このソケット８２は、従来は、電球が装着されていたもので、集魚用照明装置８０は、従来の電球の代わりに集魚灯１が装着される点を除いて、従来と同様である。
【００６２】
サンマ漁に際しては、例えば、サンマを照明装置８０で近づけた後、船体３の一方の側３ｃ又は３ｄの竿状体４ｃ又は４ｄの集魚用照明装置８０ｃ又は８０ｄのみを作動させて該集魚用照明装置８０ｃ又は８０ｄを構成する集魚灯１のみを点灯させることにより当該側にサンマを集め、次に、他舷側に網を拡げ、更にその後、該他舷側の集魚用照明装置８０ｄ又は８０ｃのみを作動させて該集魚用照明装置８０ｄ又は８０ｃを構成する集魚灯１のみを点灯させることにより、網の上にサンマを集めて捕獲する。なお、照明装置８０は、竿状体４の一部にＬＥＤ４０からなる集魚灯１の代わりに、メタルハライドランプの如く強い照明を備えていても、多数ある竿状体４のうちの一部の竿状体４に、ＬＥＤ４０からなる集魚灯１の代わりに、メタルハライドランプの如く強い照明が取付けられていてもよい。
【００６３】
以上のようなサンマ漁に際して、船体３は少なくとも海の波で揺れていることから、集魚灯１には開口８１ｆを介して海上の空気の流れの出入りがある。また、集魚灯１は海上に突出して位置することから、波しぶきを受ける。従って、サンマ漁に用いられる照明装置８０の集魚灯１では、陸上で静置されて使用される照明装置の場合とは異なり、風や波しぶきを受け得るから、風や波しぶきを受け得るように大きな放熱フィン２０を設け且つ熱源となるＬＥＤ素子４０から該フィン２０への伝熱系を設けておくことにより、冷却され易い。照明装置８０では、集魚灯１が一列に配置されていて、隣接する照明装置８０の間には冷却に十分な隙間があるので、各集魚灯１に十分な冷却が行われ得る。従って、この集魚灯１では、照度を高めても、また、多数個が集まった状態で使用されても、十分に冷却され得、ＬＥＤ素子４０が過度に高温になるのを避け得る。その結果、ＬＥＤ本体４１の劣化を避け得るだけでなく、ＬＥＤ本体４１の封止樹脂４４の劣化も抑制し得る。
【００６４】
一方、この集魚灯１では、十分な放熱による冷却を確保すべく、灯体１０がアルミニウムの如き高伝熱性の材料で形成されている反面、灯体１０が腐食され易い。水濡れを受ける環境下で、ステンレス製のネジその他の異種金属との共存による電食の虞れもある。ところが、この集魚灯１では、灯体１０に対して、蓋として働くレンズ板構造体５０や口金構造体７０が取外し可能に構成され、ＬＥＤ実装基板構造体３０や電源回路構造体６０が取外し可能であるので、灯体１０と比較して寿命が長く且つ高価である他の構成部品３０，６０等は、灯体１０の交換後も再び使用され得る。
【００６５】
以上の通り、この集魚灯１では、「円板状底壁１２並びに該円板状底壁１２の外周面から前方及び後方の両方向に延びた前側及び後側円筒状周壁部１４，１５からなる円筒状周壁１１を有する金属製のケース本体１０が、円筒状周壁１１の外表面から半径方向外向きに延びた多数の放熱フィン２０を備える」ので、多数の放熱フィン２０が「円板状底壁１２の外周面から前方に延びた前側円筒状周壁部１４及び後方に延びた後側円筒状周壁部１５」の両方にあることになるから、ケース本体１０の放熱が促進され易い。また、放熱フィン２０を、前側及び後側円筒状周壁部１４，１５の外周に形成するようにしたことにより、前側及び後側円筒状周壁部１４，１５の外周面形状及び関連放熱フィン２０を同一形状にすることが可能になり、全体として、冷却用空気が流れ易くなる。特に、図９及び図１０に示したような集魚用照明装置８０において多数の集魚灯１が一列に並べられその周囲がハウジング８１の壁部８１ｂ，８１ｃ，８１ｄ，８１ｅで囲われる場合であっても、集魚灯１のうちハウジング８１の壁部８１ｂ，８１ｃ，８１ｄ，８１ｅの前面開口端近傍に位置する前側周壁部１４の前端にある放熱フィン２０の部分が船の揺れその他に伴う空気流（風）を受け易く、該部分が風を受けると、該空気流が隣接する放熱フィン２０，２０の間隙を通って集魚灯１の後端に流れ得るから、各集魚灯１の冷却が効果的に行われ易い。傘本体をなす壁部８１ｂ，８１ｃ，８１ｄ，８１ｅが実際上ない場合には、集魚灯１の冷却は一層効果的に行われ得る。
【００６６】
特に、この照明は集魚灯１であって、漁を行う船２に取付けられるものであるから、陸上で静置される単なる照明とは異なり、船２の揺れ等に伴い金属製のケース本体１０の表面すなわち放熱フィン２０の表面には常時空気流が生じるので、放熱フィン２０による冷却作用が陸上の静置照明と違って確実に有効に働き得る。この集魚灯１では、前側円筒状周壁部１４がＬＥＤ実装基板構造体３０を収容するＬＥＤ実装基板収容室１６を形成するものであってＬＥＤ実装基板３１よりも大径になるので、放熱フィン２０は、比較的大径の円筒状周壁１１の外表面から半径方向外向きに延びるから、この空気流が径の細い狭い領域を流れる必要がない故、ケース本体１０が放熱フィン２０を介して確実に冷却され得る。
【００６７】
なお、この集魚灯１では、円板状底壁１２の前面に密接状態でＬＥＤ実装基板構造体３０が取付けられるので、円板状底壁１２にはＬＥＤ実装基板構造体３０からの熱が流れ込むことになるから、該円板状底壁１２からその外周につながった円筒状周壁１１に確実に放熱させ得るように熱流に対する抵抗を最低限に抑えるべく、円板状底壁１２は、十分な厚さ（例えば、高々数ｍｍ〜１ｃｍ程度で足りるから、全体のサイズに影響を与える虞れはない）で形成されることになる。これにより、ＬＥＤ実装基板構造体３０の中央部における発熱もその背後にヒートシンクがあるかの如く、放熱され得る。すなわち、この集魚灯１において、ケース本体１０の円板状底壁１２は、それ自体が最終的なヒートシンクになるわけではなく、ヒートシンクになる放熱フィン２０につながった円筒状周壁１１への熱抵抗の低い伝熱路を提供することになる。ここで、当然ながら、ＬＥＤ実装基板構造体３０において、基板３１の背面側部分が金属製の板状部（伝熱性板状支持体）３４からなりケース本体１０の円板状底壁１２に密接することにより放熱を可能にしている。
【００６８】
また、この集魚灯１では、「ケース本体１０の円板状底壁１２の背面側に間隔をおいて取付けられた基板６１及び該基板６１に実装され交流／直流変換回路６２を含む電源回路構造体６０」が円板状底壁１２と後側円筒状周壁部１５と口金構造体７０とによって形成された電源収容室１７内に配置されるところ、この集魚灯１では、金属製のケース本体１０が、「該円板状底壁１２の外周から前方及び後方の両方向に延びた前側及び後側円筒状周壁部１４，１５からなる円筒状周壁１１」を有するので、後方円筒状周壁部１５が前側円筒状周壁部１４と同様に大径に形成され得るから、円板状底壁１２及び後側円筒状周壁部１５により規定される電源収容室１７を十分に大きく形成し得る。その結果、電源回路６２に最大限の機能を持たせても、該電源回路６２の過熱を抑えることが可能になるだけでなく電源収容室１７内において電源回路６２を円板状底壁１２から離して配置することが可能になり（典型的にはスペーサ６３を介して配置される）、ＬＥＤ４０と電源回路６２との熱的な干渉を最低限に抑え得る。その結果、集魚灯１の発熱を最低限に抑えて効果的な放熱を実現し得、長期間安定な照明として働かせ得る。
【００６９】
更に、この集魚灯１では、「円板状底壁１２及び前側円筒状周壁部１４と協働してＬＥＤ実装基板構造体３０を収容する液密なＬＥＤ室１６を形成するレンズ板構造体５０であって、多数の発光ダイオード４０の夫々に対面する位置にレンズ部５２を備え、外周縁部がパッキン５５を介して前側円筒状周壁部１４の前端部１０ｂに取付けられたもの」が設けられるので、レンズ板構造体５０として所望の程度の拡散性のあるレンズ部５２を備えたものを選択すれば、光源自体はＬＥＤであっても適度の拡散性のある集魚用照明が実現され得る。その結果、実際上全方向（立体角４π）に光を発する従来のランプないし電球と異なり拡散される（拡げられる）とはいえ限られた範囲ないし方向（極めて限られた立体角）に向かって光を発し照明としての効率の高いＬＥＤ４０の特性を最大限生かし得る。また、「レンズ板構造体５０の外周縁部が前側円筒状周壁部１４の前端部に取付けられる」ので、前側円筒状周壁部１４自体がＬＥＤ室１６からの放熱に多少なりとも寄与し得る。
【００７０】
加えて、この集魚灯１では、口金部７２が設けられているので、従来のランプ式の集魚灯の代わりに、そのまま、当該ランプ式集魚灯用のソケットに、口金部７２で装着され得る。即ち、従来のランプ式の集魚灯の代わりにこの集魚灯１を用いるだけで、従来のランプ式の集魚灯用に既にある設備をそのまま使用し得る。ここで、この集魚灯１では、電源回路６２のために十分に広いスペースが確保されているから、電源電圧の変動が大きかったり、各種要因により差異のある発電機に起因して電源電圧自体が大きく異なっていたりしても、当該差異や変動を吸収し得る電源回路６２が組込まれ得、従来のランプ式集魚灯に代替し得る。
【００７１】
更に、この集魚灯１では、レンズ板構造体５０及び口金構造体７０が、パッキン５５，７９を介して取外し可能にケース本体１０に取付けられ得るから、例えば、塩水や潮風に曝される環境下でケース本体が比較的短期間（例えば、３〜４年程度又はそれ以下の期間）で化学的又は電気化学的な腐食その他により劣化しても、相対的に高価であっても寿命の長いＬＥＤ実装基板構造体３０等を残す（繰り返し使用する）一方で、ケース本体１０を含めて寿命の短い部品１０，５０等を交換することにより、集魚灯資源の長期間の使用が可能になる。従って、ＬＥＤによる低エネルギ消費に加えて、一層の省資源化が図られ得る。
【００７２】
この集魚灯１では、ケース本体１０がアルミニウム製であり、レンズ板構造体５０がケース本体１０の前側円筒状周壁部１４の前端部に取外し可能に取付けられ、口金構造体７０が後側円筒状周壁部１５の後端部に取外し可能に取付けられているので、上述の省資源化が確実に実現され得る。すなわち、この場合、ケース本体１０を最大限大きくしてもコストや重量は低く抑えられ得、相対的に小さな光電部品（ＬＥＤ実装基板構造体３０等）や電気部品（電源回路構造体６０）を残して相対的に大きな部品（ケース本体１０やレンズ板構造体５０等）を取り替える。特に、許容される範囲内でケース本体１０を最大限大型化することにより、冷却や交換を容易且つ確実にしている。わざわざケース本体１０を大きくしておいて、そのケース本体１０を比較的短期間で破棄ないし交換することにより、他の部品を最大限高機能化すると共に長期利用しようとするもので、ここには、一種の発想の転換がある。
【００７３】
この集魚灯１では、放熱フィン２０が渦巻状に湾曲しているので、占有スペースが狭い割には、放熱フィン２０を介した放熱による冷却が確実に行われ得る。また、放熱フィン２０がその放熱効果が高い割には占有スペースの少ないことから、ケース本体１０の円筒状周壁１１の径を最大限に大きくし得、上述のメリットを最大限に生かし得る。
【００７４】
サンマ漁では、集魚灯１は、船の左舷及び右舷から海上に突出した竿状体４の先端部に多数個取付けられることになるので、その冷却が確実に行われ易い。反面、集魚灯１がサンマ漁に用いられると、海水や潮風によってケース本体などの表面が塩害を受けるのを避け難いけれども、この集魚灯１では、上述の如く、レンズ板構造体５０や口金構造体７０がケース本体に対して取外し可能であるので、劣化部品を交換するだけで、残りの部品は再利用され得るから、ＬＥＤ光源の利用によるエネルギ消費の低減と相俟って、省資源化が確実に図られ得る。
【００７５】
なお、集魚灯１は、基本的には、灯体１０の実質的に全長にわたって延びた放熱フィン２０による放熱が確保される環境で用いられるもので、漁業用投光器としても用いられ得る。但し、放熱フィン２０のところに実際上風が吹く等により放熱フィン２０での放熱が確保される場合には、一般街路灯等としての照明や、駐車場の照明や、建物・植物のライトアップ用照明等として用いられ得る。また、何らかの理由で放熱フィン２０での放熱が確保される場合には、工場の照明や倉庫の照明や家庭用照明灯等としても用いられ得る。
【符号の説明】
【００７６】
１  集魚灯
２  サンマ漁用漁船
３  船体
３ｃ  右舷（右側縁）
３ｄ  左舷（左側縁）
４，４ｃ，４ｄ  竿状体
４ａ  基端部
４ｂ  先端部
４ｆ  大半の部分（海上に出ている部分）
１０  灯体（ケース本体）
１０ａ  前端
１０ｂ  円形凹部
１０ｃ  後端面
１１  円筒状周壁
１２  円板状底壁
１２ａ，１２ｂ  貫通孔
１２ｃ  表面
１２ｄ  ねじ穴
１３  （底壁の）外周
１４  前側円筒状周壁部
１４ｃ  端面
１５  後側円筒状周壁部
１６  ＬＥＤ実装基板収容室
１７  電源収容室
１８  厚肉部
１８ａ，１８ｂ  ネジ穴
１８ｃ  前端面
２０  放熱フィン
２１  （フィンの）前端部
２２  凹部
２２ａ  底面
２４  （前端部の）放熱フィン部分
２４ａ  先端部分（径方向外周部分）
２５  （後端部の）放熱フィン部分
２５ａ  先端部分（径方向外周部分）
３０  ＬＥＤ実装基板構造体
３１  基板
３１ａ，３１ｂ  貫通孔
３１ｃ  ねじ挿通孔
３２  基板本体
３２ａ  表面
３２ｂ  裏面
３３  配線パターン
３３ａ，３３ｂ  電源接続用配線パターン
３３ｃ  ＬＥＤ間接続用配線パターン
３４  （伝熱性）板状支持体
３５，３６  絶縁被覆付リード線
３５ａ，３６ａ  先端露出導電体部
３７  伝熱性層（塗布層又は塗膜）
３８  （電気絶縁性）被膜
４０  ＬＥＤ素子
４０ａ  最外周のＬＥＤ素子
４０ｂ  中径円に沿って配置されたＬＥＤ素子
４０ｃ  小径円に沿って配置されたＬＥＤ素子
４１  （ＬＥＤ素子の）本体
４２  プラス側端子部
４３  マイナス側端子部
４４  （ドーム状の）透明樹脂被覆
５０  レンズ板構造体
５１  板状部
５１ａ  円板状部分
５１ｂ  半円状突出部
５１ｃ  ネジの挿通孔
５１ｄ  前面
５１ｅ  裏面（内面）
５１ｆ  （粗面化された）裏面部分
５２  レンズ形成部
５３  レンズ形成部
５４ａ  直接つながっている部分
５４ｂ  直接つながっていない部分
５５  パッキン
５７  止めネジ
６０  電源回路構造体
６１  電源回路基板
６２  電源回路
７０  口金構造体
７１  口金支持体
７２  口金
７２ａ  電気絶縁性樹脂部
７３  円筒状部
７３ａ  大径円筒状部分
７３ｂ  小さい環状フランジ状部分
７３ｃ  小径円筒状部分
７４  フランジ状部
７５，７６  口金端子形成部（導電性端子）
７５ａ，７６ａ  リード線
７５ｂ，７６ｂ  給電用接続端子
７５ｃ  ネジ様螺旋状部
７７  環状凹部
７８  止めネジ
７９  パッキン
８０，８０ｃ，８０ｄ  集魚用照明装置
８１  ハウジング
８１ａ  頂壁
８１ｂ，８１ｃ  側壁
８１ｄ，８１ｅ  端壁
８１ｆ  開口
８２  ソケット
８３  給電線
Ａ  仮想的円筒状周壁
Ｂ  長手方向
Ｂ１，Ｂ２  方向
Ｃ  中心軸線
Ｄ１，Ｄ２  方向
Ｒ１，Ｒ２，Ｒ３  半径
【図１】
2010170696.tif 000003
【図２】
2010170696.tif 000004
【図３】
2010170696.tif 000005
【図４】
2010170696.tif 000006
【図５】
2010170696.tif 000007
【図６】
2010170696.tif 000008
【図７】
2010170696.tif 000009
【図８】
2010170696.tif 000010
【図９】
2010170696.tif 000011
【図１０】
2010170696.tif 000012